(57)【要約】【課題】非優先リモコンにて温度変更操作時に利便性を向上させたリモコンを提供する。【解決手段】非優先のリモコン１で、操作部２にて温度変更時に操作を受け付けず、リモコン表示部３に優先リモコンと優先権をリモコン１に移動する操作方法を表示することにより、非優先リモコンで温度変更操作時に使用者の利便性を向上させることができる。【選択図】図１
2006308115.tif 000002
【特許請求の範囲】
【請求項１】
優先権が有る場合のみ給湯温度の変更操作が可能な優先側リモコン及び非優先側リモコンで給湯器の温度設定を行うようにした給湯器リモコンであって、
非優先側リモコンで給湯温度の変更操作を行った場合、変更操作を受付けず、リモコン表示部に現在の優先側リモコンおよび非優先側リモコンへの優先権の移動方法に関する操作内容を文字情報により表示するようにした給湯器リモコン。
【請求項２】
非優先側リモコンで給湯温度の変更操作を行った場合、変更操作を受付けず、現在の優先側リモコンおよび非優先側リモコンへの優先権の移動方法に関する操作内容を音声情報により案内するようにした請求項１記載の給湯器リモコン。
【発明の詳細な説明】
【技術分野】
【０００１】
本発明は、家庭用給湯機のリモコンに関するものである。
【背景技術】
【０００２】
従来、この種の給湯器リモコンにおいては、給湯温度の変更を行う場合、優先権のあるリモコンでしか変更できないようになっており、優先スイッチは給湯温度の変更できるリモコンをどのリモコンにするか設定するスイッチであり、優先権が存在しているリモコンには、優先表示し使用者に優先権の所在するリモコンを報知している。図５に示したように非優先のリモコンで給湯温度変更操作されたときには、操作無効音を報知している（例えば、特許文献１参照）。
【特許文献１】特開平１１−３２５５８４号公報
【発明の開示】
【発明が解決しようとする課題】
【０００３】
しかしながら、前記従来の構成では、優先権のないリモコンで給湯温度の変更操作をしても変更操作を受け付けないようになっており安全面での配慮はなされているが、使い慣れていない使用者にとって何故変更できないか、また、どうすれば変更できるか、が判りにくく、都度、取扱説明書を読んで理解しなければならないという煩わしさがあった。
【０００４】
本発明は上記従来の課題を解決するもので、優先権がないリモコンで給湯温度の変更操作を行った場合、リモコン表示部に現在優先権のあるリモコンを表示するとともに、優先権がないリモコンへ優先権を移動する操作方法を文字または音声情報で報知することで、使用者の利便性向上を図ることを目的とする。
【課題を解決するための手段】
【０００５】
上記課題を解決するために本発明の給湯器リモコンは、優先権のないリモコンで給湯温度の設定変更操作を行った場合、変更操作の受付けを行わず、リモコン表示部に現在優先権のあるリモコン表示するとともに、優先権がないリモコンへ優先権を移動する操作方法を文字情報により表示するようにしたものである。
【０００６】
上記発明によれば、使い慣れていない使用者が使用した場合でも何故給湯温度の変更ができないのか一目瞭然に理解することができるとともに、どのように操作をすれば給湯温度の変更を行うことができるかを取扱説明書を見直すことなく知ることができる。
【発明の効果】
【０００７】
本発明の給湯器リモコンは、使用者の温度変更操作が受け付けられない時に、温度変更操作を受付可能にするために必要な操作方法を文字または音声情報により知ることができ、利便性が向上する。また、温度変更操作が受付けられない理由がわかるため、故障ではないことを使用者に伝えるという効果もある。
【発明を実施するための最良の形態】
【０００８】
第１の発明は、優先権が有る場合のみ給湯温度の変更操作が可能な優先側リモコン及び非優先側リモコンで給湯器の温度設定を行うようにした給湯器リモコンであって、非優先側リモコンで給湯温度の変更操作を行った場合、変更操作を受付けず、リモコン表示部に現在の優先側リモコンおよび非優先側リモコンへの優先権の移動方法に関する操作内容を文字情報により表示するようにしたことを特徴とするものであり、使用者の温度変更操作が受け付けられない時に、温度変更操作を受付可能にするために必要な操作方法を文字情報により知ることができ、利便性が向上する。また、温度変更操作が受付られない理由がわかるため、故障ではないことを使用者に伝えるという効果もある。
【０００９】
第２の発明は、非優先側リモコンで給湯温度の変更操作を行った場合、変更操作を受付けず、現在の優先側リモコンおよび非優先側リモコンへの優先権の移動方法に関する操作内容を音声情報により案内するようにしたことを特徴とするものであり、温度変更操作を受付可能にするために必要な操作方法を音声情報により知ることができ、より利便性を向上することができる。
【００１０】
以下、本発明の実施の形態について、図面を参照しながら説明する。なお、この実施の形態によって本発明が限定されるものではない。
【００１１】
（実施の形態１）
図１は本発明の実施の形態１における給湯器リモコンのブロック図、図２は給湯器リモコンの文字情報の一例を示す図である。
【００１２】
図１において、１は給湯器リモコン、２はプッシュ式スイッチなどで構成される給湯温度の変更操作を行う操作部、３は液晶や蛍光表示管などで構成される文字情報の表示が可能な表示部であり、操作内容や現在の設定内容を表示する。
【００１３】
図２において、表示部３は、非優先側リモコンで給湯温度変更操作を行った場合に表示する文字情報の一例を示している。
【００１４】
図３において、台所リモコンに優先権があり、浴室リモコンで給湯温度△スイッチ操作または給湯温度▽スイッチ操作をする場合は、（Ｓ１）の判定、“給湯温度優先は操作リモコンにあり”でＮｏとなり、（Ｓ２）の判定、“給湯温度優先は台所リモコン”はＹｅｓとなり「台所リモコン優先です。優先スイッチを押してください。」とメッセージ表示する。
【００１５】
また、浴室リモコンに優先権があり、台所リモコンで給湯温度△スイッチ操作または給湯温度▽スイッチ操作をする場合は、（Ｓ１）の判定、“給湯温度優先は操作リモコンにあり”はＮｏとなり、（Ｓ２）の判定、“給湯温度優先は台所リモコン”はＮｏとなり（Ｓ３）の判定、“給湯温度優先は浴室リモコン”はＹｅｓとなり「浴室リモコン優先です。浴室の優先スイッチを押してください。」とメッセージ表示する。
【００１６】
また、風呂温度にてお湯はり運転中に、給湯温度△スイッチ操作または給湯温度▽スイッチ操作をする場合は、（Ｓ１）の判定、“給湯温度優先は操作リモコンにあり”はＮｏとなり、（Ｓ２）の判定、“給湯温度優先は台所リモコン”はＮｏとなり（Ｓ３）の判定、“給湯温度優先は浴室リモコン”はＮｏとなり「お湯はり中のため、給湯温度の変更ができません。」とメッセージ表示する。
【００１７】
以上のように本実施の形態によれば、使用者が、温度変更操作が受け付けられない時に、温度変更操作を受付可能にするために必要な操作方法を文字情報により知ることができ、利便性が向上する。また温度変更操作が受付られない理由がわかるため、故障ではないことを使用者に伝えることができる。
【００１８】
（実施の形態２）
以下、本発明の実施の形態２について図４のフローチャートを用いて説明する。
【００１９】
図４に示すように、台所リモコンに優先があり、浴室リモコンで給湯温度△スイッチ操作または給湯温度▽スイッチ操作をする場合、（Ｓ１１）の判定、“給湯温度優先は操作リモコンにあり”はＮｏとなり、（Ｓ１２）の判定、“給湯温度優先は台所リモコン”Ｙｅｓとなり「台所リモコン優先です。優先スイッチを押してください。」と音声報知とメッセージ表示する。
【００２０】
また、浴室リモコンに優先があり、台所リモコンで給湯温度△スイッチ操作または給湯温度▽スイッチ操作をする場合、（Ｓ１１）の判定、“給湯温度優先は操作リモコンにあり”はＮｏとなり、（Ｓ１２）の判定、“給湯温度優先は台所リモコン”はＮｏとなり（Ｓ１３）の判定、“給湯温度優先は浴室リモコン”はＹｅｓとなり「浴室リモコン優先です。浴室の優先スイッチを押してください。」と音声報知とメッセージ表示する。
【００２１】
また、風呂温度にてお湯はり運転中に、給湯温度△スイッチ操作または給湯温度▽スイッチ操作をする場合、（Ｓ１１）の判定、“給湯温度優先は操作リモコンにあり”はＮｏとなり、（Ｓ１２）の判定、“給湯温度優先は台所リモコン”はＮｏとなり（Ｓ１３）の判定、“給湯温度優先は浴室リモコン”はＮｏとなり「お湯はり中のため、給湯温度の変更ができません。」と音声報知とメッセージ表示する。
【００２２】
以上のように本実施の形態によれば、使用者の温度変更操作が受け付けられない時に、温度変更操作を受付可能にするために必要な操作方法を文字情報と音声情報の両方で知ることができ、より利便性が向上する。また、温度変更操作が受付られない理由がわかるため、故障ではないことを使用者に伝えることができる。
【産業上の利用可能性】
【００２３】
本発明の給湯器リモコンは、使用者の温度変更操作が受け付けられない時に、温度変更操作を受付可能にするために必要な操作方法を文字情報や音声情報で知ることができるため、使い慣れていない使用者が使用しても簡単に操作することができ、複数箇所で設定変更操作を行うようなリモコン装置全般に利用することができる。
【図面の簡単な説明】
【００２４】
【図１】本発明の実施の形態１における給湯器リモコンのブロック図
【図２】同給湯器リモコンの文字情報の一例を示す図
【図３】同給湯器リモコンの動作を示すフローチャート
【図４】本発明の実施の形態２における給湯器リモコンの動作を示すフローチャート
【図５】従来のリモコンの動作を示すフローチャート
【符号の説明】
【００２５】
１  リモコン
２  操作部
３  表示部
【図１】
2006308115.tif 000003
【図２】
2006308115.tif 000004
【図３】
2006308115.tif 000005
【図４】
2006308115.tif 000006
【図５】
2006308115.tif 000007